(57)【要約】      （修正有）【課題】作業の負担を軽減する支柱の建替え工法を提供する。【解決手段】電柱の建替え工法は、上方の部分１０ａに架線２０が支持される支柱１０を建て替える工法であって、既設の支柱１０における上方の部分１０ａを建設機械５０に接続する接続工程と、接続工程の後に、既設の支柱１０を切断し既設の支柱１０を切断箇所から下方の部分１０ｂ，１０ｃを撤去することで、既設の支柱１０における上方の部分１０ａを架線２０と共に建設機械５０で支持する撤去・支持工程と、撤去・支持工程の後に、既設の支柱１０における上方の部分１０ａの下方に新しい支柱を設置すると共に新しい支柱に既設の支柱１０における上方の部分１０ａを固定する設置・固定工程と、設置・固定工程の後に、既設の支柱１０における上方の部分１０ａの建設機械５０との接続を解除する接続解除工程と、を備えている。【選択図】図２Ｂ
2020114036.tif 000002
【特許請求の範囲】
【請求項１】
上方の部分に対象物が支持される支柱を建て替える工法であって、
既設の支柱における上方の部分又は前記対象物を建設機械に接続する接続工程と、
前記接続工程の後に、前記既設の支柱を切断し該既設の支柱を切断箇所から下方の部分を撤去することで、前記既設の支柱における上方の部分を前記対象物と共に前記建設機械で支持する撤去・支持工程と、
前記撤去・支持工程の後に、前記既設の支柱における上方の部分の下方に新しい支柱を設置すると共に該新しい支柱に前記既設の支柱における上方の部分を固定する設置・固定工程と、
前記設置・固定工程の後に、前記既設の支柱における上方の部分又は前記対象物の前記建設機械との接続を解除する接続解除工程と、を備えていることを特徴とする
支柱の建替え工法。
【請求項２】
前記撤去・支持工程では、前記既設の支柱を複数の箇所で切断し該既設の支柱における最上及び最下の２つの部分を除く中間の部分を撤去してから該既設の支柱における最下の部分を地中から引き抜いて撤去することを特徴とする
請求項１に記載の支柱の建替え工法。
【請求項３】
前記設置・固定工程では、前記新しい支柱として、互いに径が異なり摺動可能に一方が他方に緩挿されていることで上下に連接され、互いに摺動することで伸縮する複数の支柱管を用い、該複数の支柱管を伸長した状態で互いに固定することを特徴とする
請求項１又は２に記載の支柱の建替え工法。
【請求項４】
前記支柱は、前記対象物として架線が支持される電柱であることを特徴とする
請求項１〜３のいずれかに記載の支柱の建替え工法。
【発明の詳細な説明】
【技術分野】
【０００１】
本発明は、支柱の建替え工法に関する。
【背景技術】
【０００２】
特許文献１には、電柱建替工具を用いた電柱建替方法が開示されている。この電柱建替方法は、（１）電線または通信線のいずれかを張架する電柱に電柱建替工具を取り付け、（２）電柱に張架されていた電線または通信線を電柱建替工具に保持させ、（３）電柱建替工具をクレーンで吊り下げて電線または通信線の荷重を支持し、（４）電柱建替工具を電柱から取り外し、（５）電柱を撤去し、（６）新しい電柱を設置し、（７）電柱建替工具を新しい電柱に取り付け、（８）電柱建替工具から新しい電柱に電線または通信線を移設するものである。
【０００３】
このような電柱建替方法によれば、建替対象となる電柱に張架されている電線の種類に拘らず、仮電柱を設置することなく電柱の建替工事を安全に行うことができ、かつ工事の作業効率の向上およびコストの低減を図ることができる。
【先行技術文献】
【特許文献】
【０００４】
【特許文献１】特許第５０５６６５９号公報
【発明の概要】
【発明が解決しようとする課題】
【０００５】
しかしながら、上記の電柱建替方法では、電柱に張架されていた電線または通信線を電柱建替工具に保持させたり、電柱建替工具から新しい電柱に電線または通信線を移設したりする等、電線または通信線に対する作業の負担が大きい。
【０００６】
このような問題は、電線または通信線を張架する支柱である電柱を建て替える場合に限定されず、看板や交通信号機等の対象物を支持する支柱を建て替える場合に共通して存在し得る。
【０００７】
本発明は、上記課題を鑑みてなされたものであり、作業の負担を軽減する支柱の建替え工法を提供することを目的とする。
【課題を解決するための手段】
【０００８】
（１）本発明は、上方の部分に対象物が支持される支柱を建て替える工法であって、既設の支柱における上方の部分又は前記対象物を建設機械に接続する接続工程と、前記接続工程の後に、前記既設の支柱を切断し該既設の支柱を切断箇所から下方の部分を撤去することで、前記既設の支柱における上方の部分を前記対象物と共に前記建設機械で支持する撤去・支持工程と、前記撤去・支持工程の後に、前記既設の支柱における上方の部分の下方に新しい支柱を設置すると共に該新しい支柱に前記既設の支柱における上方の部分を固定する設置・固定工程と、前記設置・固定工程の後に、前記既設の支柱における上方の部分又は前記対象物の前記建設機械との接続を解除する接続解除工程と、を備えていることを特徴とする支柱の建替え工法である。
【０００９】
本発明によれば、既設の支柱が設置されていた位置に、新しい支柱を設置することができる。また、支柱に支持される対象物に対する作業の負担を軽減することができる。
【００１０】
（２）本発明はまた、前記撤去・支持工程では、前記既設の支柱を複数の箇所で切断し該既設の支柱における最上及び最下の２つの部分を除く中間の部分を撤去してから該既設の支柱における最下の部分を地中から引き抜いて撤去することを特徴とする上記（１）に記載の支柱の建替え工法である。
【００１１】
本発明によれば、既設の支柱に支持されていた対象物を移動することなく、既設の支柱を撤去することができる。また、既設の支柱を撤去する際に地面を掘り起こす必要がなく、作業の負担を軽減することができる。
【００１２】
（３）本発明はまた、前記設置・固定工程では、前記新しい支柱として、互いに径が異なり摺動可能に一方が他方に緩挿されていることで上下に連接され、互いに摺動することで伸縮する複数の支柱管を用い、該複数の支柱管を伸長した状態で互いに固定することを特徴とする上記（１）又は（２）に記載の支柱の建替え工法である。
【００１３】
本発明によれば、既設の支柱に支持されていた対象物を移動することなく、新しい支柱を設置することができる。また、新しい支柱を設置する際に地面を掘り起こす必要がなく、作業の負担を軽減することができる。
【００１４】
（４）本発明はまた、前記支柱は、前記対象物として架線が支持される電柱であることを特徴とする上記（１）〜（３）のいずれかに記載の支柱の建替え工法である。
【００１５】
本発明によれば、架線に対する作業を減らすことになるので、断線などの事故が発生する可能性を低減することができる。
【発明の効果】
【００１６】
本発明の上記（１）〜（４）に記載の支柱の建替え工法によれば、工数を減らすことができる。すなわち、作業の負担を軽減することができる。
【図面の簡単な説明】
【００１７】
【図１】本発明の支柱の建替え工法の流れを示すフローチャートである。
【図２Ａ】本発明の支柱の建替え工法の流れを説明する概略図であり、施工前の状態を示す。
【図２Ｂ】本発明の支柱の建替え工法の流れを説明する概略図であり、図２Ａの続きで接続工程の後の状態を示す。
【図２Ｃ】本発明の支柱の建替え工法の流れを説明する概略図であり、図２Ｂの続きで撤去・支持工程の後の状態を示す。
【図２Ｄ】本発明の支柱の建替え工法の流れを説明する概略図であり、図２Ｃの続きで設置・固定工程の後の状態を示す。
【図２Ｅ】本発明の支柱の建替え工法の流れを説明する概略図であり、図２Ｄの続きで施工後の状態を示す。
【発明を実施するための形態】
【００１８】
以下、図面を参照して、本発明の実施形態に係る支柱の建替え工法について詳細に説明する。
【００１９】
まず、図１及び図２Ａ〜図２Ｅを用いて、支柱の建替え工法について説明する。図１は、支柱の建替え工法の流れを示すフローチャートである。図２Ａ〜図２Ｅは、支柱の建替え工法の流れを説明する概略図である。図２Ａは、施工前の状態を示す。図２Ｂは、図２Ａの続きで接続工程Ｓ１００の後の状態を示す。図２Ｃは、図２Ｂの続きで撤去・支持工程Ｓ２００の後の状態を示す。図２Ｄは、図２Ｃの続きで設置・固定工程Ｓ３００の後の状態を示す。図２Ｅは、図２Ｄの続きで施工後の状態を示す。
【００２０】
図１及び図２Ａ〜図２Ｅに示す支柱の建替え工法は、対象物である電線又は通信線等の架線２０が上方の部分１０ａに支持される支柱（電柱）１０を支柱３０に建て替える工法である。
【００２１】
具体的に、支柱の建替え工法は、接続工程Ｓ１００と、撤去・支持工程Ｓ２００と、設置・固定工程Ｓ３００と、接続解除工程Ｓ４００と、を備えている。なお、本明細書における架線２０とは、本来の架線の意味のみならず、本来の架線２０を支柱１０に固定するための固定具や、支柱１０における上方に固定される電気設備等を含む概念である。
【００２２】
接続工程Ｓ１００は、既設の支柱１０における上方の部分１０ａを建設機械５０に接続する工程である。
【００２３】
建設機械５０は、自走可能なベースマシン５１と、ベースマシン５１に取り付けられているいわゆるフロント５２と、等を備えている。
【００２４】
ベースマシン５１は、運転者が乗り込むキャビン５３と、左右のキャタピラ５４と、前後左右のアウトリガ５５と、等を備えている。
【００２５】
フロント５２は、ブラケット５６及びバックステー５７によって、ベースマシン５１における前方に起伏可能に取り付けられている。
【００２６】
ブラケット５６は、ベースマシン５１における前方に設けられており、フロント５２の下端を回転可能に支持している。
【００２７】
バックステー５７は、油圧シリンダーから構成されており、油圧によって伸縮可能に構成されている。バックステー５７の基端は、ベースマシン５１における前方において、ブラケット５６よりも後方の位置に回転可能に支持されている。バックステー５７の先端は、フロント５２における下端よりも上方の位置を回転可能に支持している。
【００２８】
具体的に、フロント５２は、リーダ５８と、アーム５９と、ワイヤー６０と、レール６１と、支柱チャック６２，６３と、昇降機構（図示省略）と、等を備えている。
【００２９】
リーダ５８は、ベースマシン５１よりも前方に立設されている。このリーダ５８は、前後に配置されて互いに上下に摺動可能に連結された２本の角材（角形管）５８ａ，５８ｂから構成され、後方の角材５８ｂに対して前方の角材５８ａが摺動することで伸縮する。後方の角材５８ｂは、後面の下端がブラケット５６に回転可能に支持されていると共に、後面の下端よりも上方の箇所がバックステー５７に回転可能に支持されている。
【００３０】
アーム５９は、リーダ５８の上端に設けられていて、前方に向けて延びている。ワイヤー６０は、アーム５９の先端付近から吊り下げられている。レール６１は、リーダ５８における前方の角材５８ａの前面に設けられていて、支柱チャック６２，６３を昇降可能にする。このレール６１は、リーダ５８における前方の角材５８ａと一体に構成されていても、リーダ５８における前方の角材５８ａと別体として構成されていてもよい。
【００３１】
支柱チャック６２，６３は、レール６１に沿って昇降可能に設けられている。この支柱チャック６２，６３は、昇降機構（図示省略）を構成しているエンドレスチェーン（図示省略）に固定されており、エンドレスチェーン（図示省略）の走行に伴って、レール６１に沿って所定のストロークで昇降する。また、支柱チャック６２，６３は、チャック機構（図示省略）を有している。チャック機構（図示省略）は、支柱１０の保持又はその解除をする。
【００３２】
具体的に、接続工程Ｓ１００では、アーム５９の先端付近から吊り下げられているワイヤー６０に既設の支柱１０における上方１０ａを締結すると共に支柱チャック６２，６３で既設の支柱１０における上方の部分１０ａを保持することで、支柱１０における上方の部分１０ａを建設機械５０に接続する（図２Ａ→図２Ｂ参照）。
【００３３】
撤去・支持工程Ｓ２００は、接続工程Ｓ１００の後に、既設の支柱１０を切断し当該既設の支柱１０を切断箇所から下方の部分１０ｂ，１０ｃを撤去することで、既設の支柱１０における上方の部分１０ａを対象物である架線２０と共に建設機械５０で支持する工程である。
【００３４】
具体的に、撤去・支持工程Ｓ２００では、建設機械５０とは異なる建設機械（図示省略）等が有している保持機構（図示省略）によって、既設の支柱１０における下方の部分１０ｂを保持してから、建設機械５０とは異なる建設機械（図示省略）等が有しているカッター（図示省略）によって、既設の支柱１０を複数の箇所Ｃ１，Ｃ２で切断する。切断箇所Ｃ１は、前記の保持機構（図示省略）によって保持されている箇所よりも上方の箇所であり、切断箇所Ｃ２は、前記の保持機構（図示省略）によって保持されている箇所よりも下方の箇所である。
【００３５】
そして、撤去・支持工程Ｓ２００では、既設の支柱１０の切断後、当該既設の支柱１０における最上及び最下の２つの部分１０ａ，１０ｃを除く中間の部分１０ｂ（前記の保持機構（図示省略）によって保持されている部分１０ｂ）を撤去する。また、撤去・支持工程Ｓ２００では、既設の支柱１０における中間の部分１０ｂの撤去後、建設機械５０とは異なる建設機械（図示省略）等によって、既設の支柱１０における最下の部分１０ｃを地中から引き抜いて撤去する。これにより、撤去・支持工程Ｓ２００では、既設の支柱１０における上方の部分１０ａを対象物である架線２０と共に建設機械５０で支持することになる（図２Ｃ参照）。
【００３６】
設置・固定工程Ｓ３００は、撤去・支持工程Ｓ２００の後に、既設の支柱１０における上方の部分１０ａの下方に新しい支柱３０を設置すると共に当該新しい支柱３０に既設の支柱１０における上方の部分１０ａを固定する工程である。
【００３７】
具体的に、設置・固定工程Ｓ３００では、新しい支柱３０として、互いに径が異なり摺動可能に一方が他方に緩挿されていることで上下に連接され、互いに摺動することで伸縮する複数の支柱管３０ａ，３０ｂを用いる。まず、設置・固定工程Ｓ３００では、複数の支柱管３０ａ，３０ｂを収縮させた状態で設置してから、既設の支柱１０における上方の部分１０ａの下端に新しい支柱３０の上端が突き当たる程度に複数の支柱管３０ａ，３０ｂを引き伸ばし、当該複数の支柱管３０ａ，３０ｂを伸長した状態で、ボルト等の固定具（図示省略）を用いて当該複数の支柱管３０ａ，３０ｂを互いに固定する。そして、設置・固定工程Ｓ３００では、新しい支柱３０を設置した後に、環状の接続具４０等を用いて、新しい支柱３０に既設の支柱１０における上方の部分１０ａを接続する（図２Ｄ参照）。
【００３８】
接続解除工程Ｓ４００は、設置・固定工程Ｓ３００の後に、既設の支柱１０における上方の部分１０ａの建設機械５０との接続を解除する工程である。
【００３９】
具体的に、接続解除工程Ｓ４００では、アーム５９の先端付近から吊り下げられているワイヤー６０による既設の支柱１０における上方１０ａの締結を解除すると共に支柱チャック６２，６３による既設の支柱１０における上方の部分１０ａの保持を解除することで、既設の支柱１０における上方の部分１０ａの建設機械５０との接続を解除する（図２Ｅ参照）。
【００４０】
このように、支柱の建替え工法によれば、既設の支柱１０が設置されていた位置に、新しい支柱３０を設置することができる。また、支柱１０，３０に支持される対象物である架線２０に対する作業の負担を軽減することができる。
【００４１】
また、支柱の建替え工法によれば、既設の支柱１０に支持されていた対象物である架線２０を移動することなく、既設の支柱１０を撤去することができる。また、既設の支柱１０を撤去する際に地面を掘り起こす必要がなく、作業の負担を軽減することができる。
【００４２】
また、支柱の建替え工法によれば、既設の支柱１０に支持されていた対象物である架線２０を移動することなく、新しい支柱３０を設置することができる。また、新しい支柱３０を設置する際に地面を掘り起こす必要がなく、作業の負担を軽減することができる。
【００４３】
また、支柱の建替え工法によれば、架線２０に対する作業を減らすことになるので、断線などの事故が発生する可能性を低減することができる。
【００４４】
本発明は、上記実施形態に限られるものではなく、その趣旨及び技術思想を逸脱しない範囲で種々の変形が可能である。すなわち、各構成の位置、大きさ、長さ、数量、形状、材質、時間、タイミングなどは適宜変更できる。
【００４５】
例えば、上記実施形態において、対象物として架線２０が支持される支柱（電柱）１０を建て替える場合を例に説明したが、本発明はこれに限定されず、看板や交通信号機等の対象物が支持される支柱を建て替えるものであってもよい。
【００４６】
あるいは、上記実施形態において、フロント５２を有する建設機械５０が用いられる場合を例に説明したが、本発明はこれに限定されず、クレーン車その他の建設機械が用いられるようにしてもよい。
【００４７】
あるいは、上記実施形態において、既設の支柱１０における上方の部分１０ａを建設機械５０に接続する場合を例に説明したが、本発明はこれに限定されず、既設の支柱１０における上方の部分１０ａに代えて、又は既設の支柱１０における上方の部分１０ａと共に、対象物である架線２０を建設機械５０に接続するようにしてもよい。
【００４８】
あるいは、上記実施形態において、既設の支柱１０を複数の箇所Ｃ１，Ｃ２で切断してから、既設の支柱１０における下方の部分１０ｂ，１０ｃを順次撤去する場合を例に説明したが、本発明はこれに限定されず、既設の支柱１０を一箇所だけ切断してから、切断箇所から下方の部分を撤去するようにしてもよい。この場合、地面を掘り起こしてから撤去するか、既設の支柱１０における上方の部分１０ａを移動させてから撤去する必要がある。
【符号の説明】
【００４９】
１０  既設の支柱（電柱）
１０ａ  上方の部分（最上の部分）
１０ｂ  下方の部分（中間の部分）
１０ｃ  下方の部分（最下の部分）
２０  架線（対象物）
３０  新しい支柱
３０ａ，３０ｂ  支柱管
４０  接続具
５０  建設機械
５１  ベースマシン
５２  フロント
５３  キャビン
５４  キャタピラ
５５  アウトリガ
５６  ブラケット
５７  バックステー
５８  リーダ
５８ａ，５８ｂ  角材
５９  アーム
６０  ワイヤー
６１  レール
６２，６３  支柱チャック
Ｃ１，Ｃ２  切断箇所
Ｓ１００  接続工程
Ｓ２００  撤去・支持工程
Ｓ３００  設置・固定工程
Ｓ４００  接続解除工程
【図１】
2020114036.tif 000003
【図２Ａ】
2020114036.tif 000004
【図２Ｂ】
2020114036.tif 000005
【図２Ｃ】
2020114036.tif 000006
【図２Ｄ】
2020114036.tif 000007
【図２Ｅ】
2020114036.tif 000008
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
上方の部分に対象物が支持される支柱を建て替える工法であって、
既設の支柱における上方の部分又は前記対象物を建設機械に接続する接続工程と、
前記接続工程の後に、前記既設の支柱を切断し該既設の支柱における切断箇所から上方の部分を移動せずに下方の部分を撤去することで、前記既設の支柱における上方の部分を前記対象物と共に前記建設機械で支持する撤去・支持工程と、
前記撤去・支持工程の後に、前記既設の支柱における上方の部分の下方に新しい支柱を設置すると共に該新しい支柱に前記既設の支柱における上方の部分を固定する設置・固定工程と、
前記設置・固定工程の後に、前記既設の支柱における上方の部分又は前記対象物の前記建設機械との接続を解除する接続解除工程と、を備えていることを特徴とする
支柱の建替え工法。
【請求項２】
前記撤去・支持工程では、前記既設の支柱を複数の箇所で切断し該既設の支柱における最上及び最下の２つの部分を除く中間の部分を撤去してから該既設の支柱における最下の部分を地中から引き抜いて撤去することを特徴とする
請求項１に記載の支柱の建替え工法。
【請求項３】
前記設置・固定工程では、前記新しい支柱として、互いに径が異なり摺動可能に一方が他方に緩挿されていることで上下に連接され、互いに摺動することで伸縮する複数の支柱管を用い、該複数の支柱管を伸長した状態で互いに固定することを特徴とする
請求項１又は２に記載の支柱の建替え工法。
【請求項４】
前記支柱は、前記対象物として架線が支持される電柱であることを特徴とする
請求項１〜３のいずれかに記載の支柱の建替え工法。
【手続補正２】
【補正対象書類名】明細書
【補正対象項目名】０００８
【補正方法】変更
【補正の内容】
【０００８】
（１）本発明は、上方の部分に対象物が支持される支柱を建て替える工法であって、既設の支柱における上方の部分又は前記対象物を建設機械に接続する接続工程と、前記接続工程の後に、前記既設の支柱を切断し該既設の支柱における切断箇所から上方の部分を移動せずに下方の部分を撤去することで、前記既設の支柱における上方の部分を前記対象物と共に前記建設機械で支持する撤去・支持工程と、前記撤去・支持工程の後に、前記既設の支柱における上方の部分の下方に新しい支柱を設置すると共に該新しい支柱に前記既設の支柱における上方の部分を固定する設置・固定工程と、前記設置・固定工程の後に、前記既設の支柱における上方の部分又は前記対象物の前記建設機械との接続を解除する接続解除工程と、を備えていることを特徴とする支柱の建替え工法である。